(57)【要約】 【課題】  画面全体の表示内容を常時判断することができる状態で残像現象を防止することができる液晶表示装置および表示方法を提供する。【解決手段】  中央演算部１８は、内部記憶部１６に設定されている単位領域（Ｍ，Ｎ）およびパターンＰに基づいて、黒ピクセルを均等に分散して配置したＯＳＤパターンを表示位置Ｐｏｓごとに生成し、表示用および表示処理用一時記憶部１９に記憶する。画像を表示するとき、設定時間が経過する度に、表示用および表示処理用一時記憶部１９に記憶されるＯＳＤパターンの中から、次の表示位置ＰｏｓのＯＳＤパターンを抽出し、表示する元の表示画像の画素のうち、抽出したＯＳＤパターンの黒ピクセルの位置にある画素を、黒ピクセルに置換する。そして、置換した画像を、表示処理部２０によって表示用デバイス２１に表示させる。【選択図】      図１
2009134188.tif 000002
【特許請求の範囲】
【請求項１】
液晶表示パネルと、
前記液晶表示パネルの表示画面を構成する複数の画素のうち、均等に分散する位置にある予め定める割合の画素を、予め定める時間が経過するごとに、前記均等に分散する位置を予め定める順序で変化させて選択する選択手段と、
前記表示画面に表示する画像のうち、前記選択手段によって選択される画素に表示する画像の色を黒色にして表示する表示制御手段とを含むことを特徴とする液晶表示装置。
【請求項２】
画像の一部を他の画像に置換する置換手段と、
前記選択手段によって選択された画素を黒色とした画像を生成する生成手段とをさらに含み、
前記表示制御手段は、
前記置換手段によって、表示すべき画像の一部を前記生成手段によって生成された画像に置換させ、
前記置換手段によって一部が置換された画像を表示画面に表示することを特徴とする請求項１に記載の液晶表示装置。
【請求項３】
前記選択手段によって選択される画素に表示する画像の色を黒色にすることの停止を指示する指示手段をさらに含み、
前記表示制御手段は、前記指示手段によって停止が指示されると、前記選択手段によって選択される画素に表示する画像の色を黒色にすることを行なわないことを特徴とする請求項１または２に記載の液晶表示装置。
【請求項４】
前記表示画面に表示される画像の輝度を制御する輝度制御手段をさらに含み、
前記表示制御手段は、前記選択手段によって選択される画素に表示する画像の色を黒色にさせるとき、前記選択手段によって選択される画素に表示する画像の色を黒色にさせないときよりも、表示する画像の輝度を前記輝度制御手段によって高くさせることを特徴とする請求項１〜３のいずれか１つに記載の液晶表示装置。
【請求項５】
液晶表示パネルの表示画面を構成する複数の画素のうち、均等に分散する位置にある予め定める割合の画素を、予め定める時間が経過するごとに、前記均等に分散する位置を予め定める順序で変化させて選択する選択ステップと、
前記表示画面に表示する画像のうち、選択ステップで選択された画素に表示する画像の色を黒色にして表示する表示制御ステップとを含むことを特徴とする表示方法。
【発明の詳細な説明】
【技術分野】
【０００１】
本発明は、表示中に発生する残像現象を防止することができる液晶表示装置および表示方法に関する。
【背景技術】
【０００２】
ディスプレイなどの表示装置は、静止画像を長時間連続して表示すると、焼き付け、残像現象、輝度むらあるいはちらつきなどの問題が生じることがある。たとえば、液晶ディスプレイで発生する残像現象は、電荷の偏りが固定化することによって発生する。これらの問題を防止することができる従来の技術として以下のものがある。
【０００３】
特許文献１に記載される強誘電性液晶表示装置は、液晶分子の配向状態が変化するような正負一対の交流化された電圧パルスを所定の回数だけ印加して、表示データを消去し、全画面を白または黒の状態とすることによって、表示終了時の表示データが液晶パネルに書き込まれたまま保存されることによる特性劣化を回避し、焼き付け現象の発生を防止する。前記電圧パルスの印加は、表示開始前、表示終了時、割り込み発生時、所定の時間間隔で、あるいは表示データが所定時間変化しないときに行なわれる。
【０００４】
特許文献２に記載される液晶表示装置は、キーボードなどが操作されず操作者からの信号が一定時間印加されない場合、あるいは焼き付け防止スイッチが操作された場合、全面白表示と全面黒表示とを交互に表示画面に表示することによって、表示画面の焼き付きを防止する。全面白表示と全面黒表示とを交互に表示画面に表示する代わりに、任意の画像とその反転表示とを切り換えることも可能である。
【０００５】
特許文献３に記載される液晶モニタの焼き付き防止方法は、所定時間画像に変化がない場合、たとえば所定時間コンピュータの操作がされない場合に、表示していた画像を階調反転した階調反転画像、全面白色画像、または全面黒色画像を表示することによって、長時間同じ画像を表示した後、液晶内のイオン性不純物が片寄ることで発生する液晶モニタの焼き付きを防止する。
【０００６】
特許文献４に記載されるプラズマディスプレイ装置は、人検知器によって人が検知されていない場合には、残像発生防止のための画像を表示することによって、残像現象および輝度むらの発生を低減させる。残像発生防止のための画像は、通常の表示画像の反転画像、全体が白１００％の静止画像、あるいは、一部が白１００％の画像で他が黒１００％の画像でありかつ白画像部分が移動する動画像である。
【０００７】
特許文献５に記載される表示装置の焼付防止方法は、一定時間ごとに、見た感じで気にならない程度ドット数単位で、たとえば５ドット以下で静止画像の座標を変換して表示する。
【０００８】
特許文献６に記載される表示装置の焼付防止装置は、一定時間毎に画像をサブピクセル単位で移動させることによって、表示している内容が移動していることを気づかせず、焼付き防止を実現する。サブピクセル単位とは、実在する表示画素の最小単位である１ ピクセルよりも小さい仮想の画素の単位をいい、サブピクセル単位で移動させたときに、実在する表示画素に表示すべき画像は、仮想位置に移動したピクセル値から補間して求める。サブピクセル単位での移動は、平行移動、あるいは拡大と縮小との繰り返しによる移動がある。
【０００９】
特許文献７に記載される画像表示器の画面焼けを防ぐための方法は、一定時間の後に画像をたとえば斜め方向に移動し、画面焼けを防止する。移動範囲は、画像全体がオリジナル位置から最大５ピクセル離れた位置の範囲である。
【００１０】
特許文献８に記載される液晶表示装置は、水平方向の所定の本数の黒線を１フレーム期間で垂直方向に移動させることによって、残像およびチラツキを防止する。
【００１１】
【特許文献１】特開平４−２５０４１７号公報
【特許文献２】特開平９−２５１１５３号公報
【特許文献３】特開２００４−３２５８５３号公報
【特許文献４】特開２００３−２１６０９７号公報
【特許文献５】特開２０００−２２７７７５号公報
【特許文献６】特開２００５−１０７１３２号公報
【特許文献７】特開２００６−１８９８８１号公報
【特許文献８】特開２００６−２０８７９７号公報
【発明の開示】
【発明が解決しようとする課題】
【００１２】
図１６Ａおよび図１６Ｂは、従来の技術による焼き付きなどの問題を防止する例を示す図である。図１６Ａ（ａ）は、画面に表示される画像６１を一時的に全画面黒い画像６１ａに切り換える例である。特許文献１〜４に記載される装置あるいは方法は、この例と同様に、一時的に全画面を白、黒、または白と黒との混在とするものであるが、もともと表示されていた画面の表示内容が分らなくなるという問題がある。特許文献２および３に記載される装置あるいは方法は、一時的に全画面を反転表示することも可能であるが、表示内容が確認しづらくなるという問題がある。
【００１３】
図１６Ａ（ｂ）は、画像６１全体を右方向、下方向、左方向、および上方向に、この順序で少しずつずらして表示する例である。画像６１全体を右方向にずらした画像６１ｂ、画像６１全体をさらに下方向にずらした画像６１ｃ、および画像６１全体をさらに左方向にずらした画像６１ｄは、いずれも黒い画像６２が表示されるが、黒い画像６２が表示された部分の表示内容が分らなくなり、さらに、画面からはみ出して表示されない部分６３が生じるという問題がある。特許文献５〜７に記載される装置あるいは方法は、この例と同様に、画像全体を少しずらして表示する例であるが、移動前後で色および輝度に変化がない部分に対しては、目的とする効果を期待することができないという問題がある。
【００１４】
図１６Ｂ（ｃ）は、画像６１に対して横方向の黒い画像６４を画面下側から上方向に広げていく例であるが、黒い画像６４が表示された部分の表示内容が分らなくなるという問題がある。図１６Ｂ（ｄ）は、画像６１の中に縦方向の黒い帯状の画像６５を画面の左端から右端に移動する例である。特許文献８に記載される装置は、水平方向の所定の本数の黒線を垂直方向に移動させるもので、この例と方向は異なるものの、いずれも黒い画像部分の動きが目立つために、その動きがユーザに気になるという問題がある。
【００１５】
図１６Ｂ（ｅ）は、画像６１を圧縮し、圧縮画像６１ｅがない部分に黒い画像６６を表示するものであるが、画像が変形して歪になるので、表示内容を確認しづらくなるという問題がある。
【００１６】
本発明の目的は、画面全体の表示内容を常時判断することができる状態で残像現象を防止することができる液晶表示装置および表示方法を提供することである。
【課題を解決するための手段】
【００１７】
本発明は、液晶表示パネルと、
前記液晶表示パネルの表示画面を構成する複数の画素のうち、均等に分散する位置にある予め定める割合の画素を、予め定める時間が経過するごとに、前記均等に分散する位置を予め定める順序で変化させて選択する選択手段と、
前記表示画面に表示する画像のうち、前記選択手段によって選択される画素に表示する画像の色を黒色にして表示する表示制御手段とを含むことを特徴とする液晶表示装置である。
【００１８】
また本発明は、画像の一部を他の画像に置換する置換手段と、
前記選択手段によって選択された画素を黒色とした画像を生成する生成手段とをさらに含み、
前記表示制御手段は、
前記置換手段によって、表示すべき画像の一部を前記生成手段によって生成された画像に置換させ、
前記置換手段によって一部が置換された画像を表示画面に表示することを特徴とする。
【００１９】
また本発明は、前記選択手段によって選択される画素に表示する画像の色を黒色にすることの停止を指示する指示手段をさらに含み、
前記表示制御手段は、前記指示手段によって停止が指示されると、前記選択手段によって選択される画素に表示する画像の色を黒色にすることを行なわないことを特徴とする。
【００２０】
また本発明は、前記表示画面に表示される画像の輝度を制御する輝度制御手段をさらに含み、
前記表示制御手段は、前記選択手段によって選択される画素に表示する画像の色を黒色にさせるとき、前記選択手段によって選択される画素に表示する画像の色を黒色にさせないときよりも、表示する画像の輝度を前記輝度制御手段によって高くさせることを特徴とする。
【００２１】
また本発明は、液晶表示パネルの表示画面を構成する複数の画素のうち、均等に分散する位置にある予め定める割合の画素を、予め定める時間が経過するごとに、前記均等に分散する位置を予め定める順序で変化させて選択する選択ステップと、
前記表示画面に表示する画像のうち、選択ステップで選択された画素に表示する画像の色を黒色にして表示する表示制御ステップとを含むことを特徴とする表示方法である。
【発明の効果】
【００２２】
本発明によれば、選択手段によって、液晶表示パネルの表示画面を構成する複数の画素のうち、均等に分散する位置にある予め定める割合の画素が、予め定める時間が経過するごとに、前記均等に分散する位置を予め定める順序で変化させて選択され、表示制御手段によって、表示画面に表示する画像のうち、選択手段によって選択される画素に表示する画像の色が黒色にされて表示される。
【００２３】
したがって、表示画面を構成する画素のうち均等に分散した画素のみを順次移動して黒表示とするので、画面全体の表示内容を常時判断することができる状態で残像現象を防止することができる。
【００２４】
また本発明によれば、選択ステップでは、液晶表示パネルの表示画面を構成する複数の画素のうち、均等に分散する位置にある予め定める割合の画素を、予め定める時間が経過するごとに、前記均等に分散する位置を予め定める順序で変化させて選択する。そして、表示制御ステップでは、表示画面に表示する画像のうち、選択ステップで選択された画素に表示する画像の色を黒色にして表示する。
【００２５】
したがって、本発明に係る表示方法を適用すれば、液晶表示パネルの表示画面を構成する画素のうち均等に分散した画素のみを順次移動して黒表示とするので、画面全体の表示内容を常時判断することができる状態で残像現象を防止することができる。
【発明を実施するための最良の形態】
【００２６】
図１は、本発明の実施の一形態である液晶表示装置１の構成を示すブロック図である。本発明に係る表示方法は、液晶表示装置１で処理される。
【００２７】
液晶表示装置１は、映像入力端子１１、リモートコントロール（以下「リモコン」という）受光部１２、リモコン操作処理部１３、シリアルインタフェース（以下「シリアルＩ／Ｆ」という）部１４、シリアル通信処理部１５、内部記憶部１６、外部記憶部１７、中央演算部１８、表示用および表示処理用一時記憶部１９、表示処理部２０、液晶表示パネルである表示用デバイス２１、輝度制御部２２、カウンタａ２３、カウンタｂ２４、ならびに図示しないリモコンを含んで構成される。
【００２８】
映像入力端子１１は、映像信号を入力する端子であり、入力された映像信号を画像情報として、表示用および表示処理用一時記憶部１９に送る。図１には、Ｎ個の映像入力端子Ｔ１〜ＴＮを示しているが、映像入力端子１１の数は１つでもよいし、複数でもよい。
【００２９】
リモコン受光部１２は、図示しないリモコンによって操作された操作情報を表す光信号を受光し、受光した光信号を電気信号に変換し、変換した電気信号が示す操作情報をリモコン操作処理部１３に送る。リモコン操作処理部１３は、リモコン受光部１２から操作情報を受け取ると、受け取った操作情報に対して必要な処理を行い、処理した操作情報を中央演算部１８に送る。図示しないリモコン、リモコン受光部１２およびリモコン操作処理部１３は、指示手段である。
【００３０】
シリアルＩ／Ｆ部１４は、シリアルインタフェースに接続され、シリアルインタフェースに接続される他の装置と、情報を送受信し、受信した情報をシリアル通信処理部１５に送る。シリアル通信処理部１５は、シリアルＩ／Ｆ部１４から受け取った情報、たとえばコマンドを処理し、処理した情報を中央演算部１８に送る。
【００３１】
内部記憶部１６は、たとえばＲＡＭ（Random Access Memory）などの半導体メモリによって構成され、中央演算部１８によってアクセスされる。内部記憶部１６は、一時的にデータを記憶するワークメモリであり、たとえばモードＭｏ、パターンＰ、輝度設定Ｂ、表示位置Ｐｏｓ、設定時間Ｔ１および単位領域（Ｍ，Ｎ）などの情報を記憶する。
【００３２】
モードＭｏは、黒ピクセルを表示するか否かを示す情報であり、Ｍが「０」であると、黒ピクセルを表示しないことを示し、Ｍが「０」であると、黒ピクセルを表示することを示す。黒ピクセルは、残像防止のために黒色を表示する画素であり、たとえばその画素を非表示状態とすることによって、黒色とすることができる。パターンＰは、画面上に表示する黒ピクセルの位置を示すパターンである。
【００３３】
図２は、画面上に表示するパターンＰの例を示す図である。図２に示したパターンＰは、横６個および縦４個の画素（以下「ピクセル」ともいう）９からなる単位領域を用いて形成されるパターンである。以下、単位領域のうち、画面の最も左上にある単位領域を基準単位領域という。各単位領域は、１つの黒ピクセル８を含み、黒ピクセル８の位置は、予め定める時間である設定時間Ｔ１が経過するごとに、単位領域内の各画素の位置を順次、全画素について移動する。単位領域を用いて黒ピクセル８を配置することによって、表示画面全体に均等に分散した位置に黒ピクセル８を配置することができる。
【００３４】
図２（ａ）は、パターンＰの値が「０」のときに表示されるパターン（以下「パターンＰ０」という）である。図２（ｂ）は、パターンＰの値が「１」のときに表示されるパターン（以下「パターンＰ１」という）である。図２（ｃ）は、パターンＰの値が「２」のときに表示されるパターン（以下「パターンＰ２」という）である。
【００３５】
パターンＰ０〜Ｐ３のいずれの基準単位領域Ｋにある黒ピクセルは、単位領域内の最も左上の位置の画素であり、最も上段の単位領域には、いずれも同じ位置に黒ピクセルがある。パターンＰ０は、上から２〜４段目のいずれの単位領域でも、黒ピクセルが基準単位領域と同じ位置にある。パターンＰ１は、上から２段目の単位領域では、黒ピクセルが基準単位領域での黒ピクセルの位置から２つ右側に移動した位置にあり、上から３段目の単位領域では、黒ピクセルが基準単位領域での黒ピクセルの位置から４つ右側に移動した位置にあり、上から４段目の単位領域では、黒ピクセルが基準単位領域での黒ピクセルの位置と同じ位置にある。
【００３６】
パターンＰ２は、上から４段目の単位領域では、黒ピクセルが基準単位領域での黒ピクセルの位置から３つ右側に移動した位置にあり、上から３段目の単位領域では、黒ピクセルが基準単位領域での黒ピクセルの位置と同じ位置にあり、上から４段目の単位領域では、黒ピクセルが上から２段目の単位領域と同じ位置にある。図２（ａ）〜（ｃ）に示したパターンのうち、いずれのパターンを用いるかは、リモコンによって選択可能である。
【００３７】
輝度設定Ｂは、黒ピクセルを表示するとき、輝度を上げるか否かを示す情報であり、Ｂが「０」であると、輝度を上げないことを示し、Ｂが「１」であると、輝度を上げることを示す。たとえば、輝度値を０〜２９の３０段階で表し、数字が高いほど輝度が高いとすると、黒ピクセルを表示しない場合は、段階が２０の輝度値で表示し、黒ピクセルを表示する場合は、段階２５の輝度値で表示する。
【００３８】
図３は、基準単位領域Ｋ内の表示位置Ｐｏｓを示す図である。表示位置Ｐｏｓは、基準単位領域Ｋの中で黒ピクセルを表示する表示位置を示す。図３に示した基準単位領域Ｋは、図２に示した基準単位領域Ｋと同じ、横６個および縦４個のピクセルからなる単位領域である。Ｐｏｓの値は、最も左上の位置が「０」であり、それに隣接する位置が左から順にＰｏｓ「１」〜「５」であり、２段目は左から順にＰｏｓ「６」〜「１１」であり、３段目は左から順にＰｏｓ「１２」〜「１７」であり、４段目は左から順にＰｏｓ「１８」〜「２３」である。
【００３９】
図４は、設定時間ごとに単位領域内を移動する黒ピクセルの一例を示す図である。設定時間Ｔ１は、黒ピクセルが移動してから次の位置に移動するまでの時間である。図４は、たとえばＴ１の値が「６０」分に設定されているときの例である。最初の状態Ｊ１では、黒ピクセルが最も左上にあり、リモコン操作が行われてからの経過時間Ｔ３が設定時間Ｔ１の値に等しくなると、つまり６０分経過すると、黒ピクセルは、１画素分右隣に移動し、状態Ｊ２に移る。
【００４０】
以後、黒ピクセルが移動してからの経過時間Ｔ２が設定時間Ｔ１の値に等しくなる度に、つまり６０分経過する度に、黒ピクセルは、１画素分右隣に移動する。右端に到達した場合は、次に１画素分下側に移動し、黒ピクセルが最終位置つまり状態Ｊ２４の位置にくるまで、６０分ごとに移動する。黒ピクセルが状態Ｊ２４の位置まできて６０分経過すると、最初の状態Ｊ１の位置に戻る。黒ピクセルが１ピクセル分ずつ移動するので、変化量を少なくすることができ、黒ピクセルの移動が目に付きにくくすることができる。
【００４１】
単位領域（Ｍ，Ｎ）は、単位領域の大きさを示す。Ｍは、横方向の画素数であり、Ｎは、縦方向の画素数である。単位領域は、たとえば横３個および縦２個の６画素からなる単位領域（３，２）、横６個および縦４個の２４画素からなる単位領域（６，４）、および横１２個および縦８個の９６画素からなる単位領域（１２，８）の３つのパターンから選択可能である。単位領域（Ｍ，Ｎ）によって決まる割合が、予め定める割合である。
【００４２】
図５は、単位領域の種類を示す図である。図５（ａ）は、横３個および縦２個の６画素からなる基準単位領域Ｋ１であり、最も左上に黒ピクセルが示されている。図５（ｂ）は、横６個および縦４個の２４画素からなる基準単位領域Ｋ２であり、最も左上に黒ピクセルが示されている。図５（ｃ）は、横１２個および縦８個の９６画素からなる基準単位領域Ｋ３であり、最も左上に黒ピクセルが示されている。いずれの場合も、黒ピクセルは、図に示した矢印の方向に１画素ずつ隣接する画素の位置に順次移動し、最後の位置までくると最初の位置つまり最も左上の位置に戻る。この順序が、予め定める順序である。
【００４３】
単位領域（Ｍ，Ｎ）の大きさおよび設定時間Ｔ１の長さは、表示画面つまり表示用デバイス２１の残像特性に応じて、具体的には、各表示用デバイス２１の残像現象を防止するために、黒ピクセルを表示する必要がある時間によって決定する。たとえば２４時間のうち１時間表示することによって、残像現象を防止することができるディスプレイについては、単位領域の大きさを（６，４）の２４画素から構成し、１時間経過するごとに黒ピクセルの位置を１画素ずつ順次移動する。表示用デバイス２１は、画像をカラーで表示可能であってもよいし、モノクロで表示可能であってもよい。表示用デバイス２１は、画像をカラーで表示可能な場合には、赤色、青色および緑色の各ドットを含んでピクセルが構成される。また表示用デバイス２１は、単純マトリクス型の液晶表示パネルでもよく、アクティブマトリクス型の液晶表示装置であってもよい。
【００４４】
このように、中央演算部１８によって、前記表示画面の残像特性に応じて、単位領域（Ｍ，Ｎ）によって決まる割合および設定時間Ｔ１が変化されるので、ディスプレイごとに効果のある割合および設定時間で黒色の画素を表示することができる。
【００４５】
図６は、残像防止設定画面３１の一例を示す図である。残像防止設定画面３１は、表示用デバイス２１に表示され、図示しないリモコンによって操作することができる。残像防止設定画面３１には、「残像防止設定」というタイトルおよび５つの設定項目が表示され、さらに各設定項目に対応する入力欄が設けられる。
【００４６】
設定項目は、モード、パターン、輝度設定、設定時間および単位領域がある。図６に示した各入力欄には、モードＭｏが「１」、パターンＰが「１」、輝度設定Ｂが「０」、設定時間Ｔ１が「１」時間、および単位領域（Ｍ，Ｎ）が「６×４」つまり（６，４）と入力されている。情報の入力は、ポインタ３１１を上下に移動して設定項目を選択し、選択した設定項目の入力欄に入力する。
【００４７】
外部記憶部１７は、たとえばハードディスク装置などの不揮発性記憶装置によって構成され、中央演算部１８によってアクセスさる。外部記憶部１７は、プログラム保存部とデータ保存部とに分かれており、プログラム保存部は、書き換え可能であってもよいし、書き換え不可能であってもよく、中央演算部１８によって実行される制御プログラムを記憶する。データ保存部は、内部記憶部１６に記憶される情報と同じ情報、たとえばモードＭｏ、パターンＰ、輝度設定Ｂ、表示位置Ｐｏｓ、設定時間Ｔ１および単位領域（Ｍ，Ｎ）などの情報も記憶する。
【００４８】
中央演算部１８は、たとえばマイクロプロセッサ、ＦＰＧＡ（Field Programmable 
Gate Array）、ＡＳＩＣ（Application Specific Integrated Circuit）、またはその他の演算機能を有する回路によって構成され、外部記憶部１７のプログラム保存部に記憶される制御プログラムを実行することによって、リモコン操作処理部１３、シリアル通信処理部１５、表示処理部２０、輝度制御部２２、カウンタａ２３およびカウンタｂ２４を制御する。中央演算部１８は、選択手段、置換手段および生成手段である。
【００４９】
表示用および表示処理用一時記憶部１９は、映像入力端子１１から受け取る画像情報、ならびに中央演算部１８が処理する表示処理および残像防止処理を行うための情報を記憶する。表示処理は、画像を表示用デバイス２１に表示するための処理であり、残像防止処理は、表示画像と黒ピクセルの画像とを合成する処理である。
【００５０】
表示処理部２０は、中央演算部１８から指示される画像情報を、表示用および表示処理用一時記憶部１９から読み出し、読み出した画像情報を表示用デバイス２１が表示可能な形式に変換し、変換した画像情報を表示用デバイス２１に送る。
【００５１】
表示用デバイス２１は、たとえばＣＲＴ（Cathode Ray Tube）、液晶ディスプレイ、ＬＥＤ（Light Emitting Diode）あるいはプラズマ方式の表示用デバイスであり、表示処理部２０から受け取る画像情報を表示画面に表示する。入力信号の型式は、ＬＶＤＳ（Low 
Voltage Differential Signaling）あるいはＴＴＬ（Transistor-Transistor Logic）などであり、その形式は問わない。輝度制御部２２は、中央演算部１８からの指示に従って、表示用デバイス２１の輝度を明るく（高く）したり、暗く（低く）したり制御する。中央演算部１８、表示処理部２０および表示用デバイス２１は、表示制御手段である。中央演算部１８および輝度制御部２２は、輝度制御手段である。
【００５２】
カウンタａ２３は、経過時間Ｔ２をカウントつまり計時するタイマである。経過時間Ｔ２は、黒ピクセルが移動してから経過した時間であり、カウンタａ２３は、黒ピクセルが移動したときに「０」にリセットされ、リセットされた後カウントアップされる。カウンタｂ２３は、経過時間Ｔ３をカウントするタイマである。経過時間Ｔ３は、リモコンが操作されてから経過した時間であり、カウンタｂ２３は、リモコンが操作されたときに「０」にリセットされ、リセットされた後カウントアップされる。
【００５３】
図７は、黒ピクセルの合成を説明するための図である。リモコン操作処理部１３は、リモコン受光部１２がリモコンから受信した操作情報をリモコン受光部１２から受け取ると、リモコン受信４１があったことを中央演算部１８に知らせる。
【００５４】
中央演算部１８は、中断制御４２を行い、タイマ４３をリセットし、タイマ４３による経過時間Ｔ３の測定を開始する。中断制御４２は、それまで行なっていた残像防止処理を中断する制御であり、黒ピクセルを表示していた画素を元の画像に置換して表示する。タイマ４３は、カウンタａ２３およびカウンタｂ２４である。
【００５５】
中央演算部１８は、タイマ４３によって測定した経過時間Ｔ３が一定時間たとえば１５秒に達すると、カウンタ４４をカウントアップした後、タイマ４３をリセットし、タイマ４３による経過時間Ｔ２の測定を開始する。中央演算部１８は、タイマ４３によって測定した経過時間Ｔ２が設定時間Ｔ１に達すると、カウンタ４４をカウントアップする。以後、タイマ４３による経過時間Ｔ２の測定を繰り返し、経過時間Ｔ２が設定時間Ｔ１に達する度に、カウンタ４４をカウントアップする。
【００５６】
オンスクリーンディスプレイ（以下「ＯＳＤ」という）パターン４５は、複数のＯＳＤパターンを含み、表示用および表示処理用一時記憶部１９に記憶される。ＯＳＤパターンは、図２に示したパターンであり、各表示位置Ｐｏｓに対応する複数のパターンがある。
【００５７】
中央演算部１８は、画像合成４７で、表示用および表示処理用一時記憶部１９に記憶されるＯＳＤパターンのうち、カウンタ４４が示す値の番号「Ｎｏ」のＯＳＤパターンと、画像情報４６が示す画像とを、フレーム周波数に同期して、全フレームについて合成し、合成した画像を液晶表示４８で表示用デバイス２１に表示する。１フレームは、表示画面１画面分の画像であり、フレーム周波数は、１秒間に表示するフレームの数に対応する周波数である。
【００５８】
図８は、ＯＳＤパターンが合成された画像の一例を示す図である。図８（ａ）は、表示すべき元の表示画像５１である。図８（ｂ）は、単位領域が（６，４）およびパターンが「パターンＰ２」で、かつ表示位置Ｐｏｓが「０」であるＯＳＤパターンである。図８（ｃ）は、図８（ａ）に示した元の表示画像５１に、図８（ｂ）に示したＯＳＤパターンＰ２を合成した画像５１ａである。すなわち、図８（ａ）に示した元の表示画像５１の画素のうち、図９（ｂ）に示したＯＳＤパターンＰ２の黒ピクセルの位置にある画素を、黒ピクセルに置換した画像である。
【００５９】
中央演算部１８は、先ず、表示用および表示処理用一時記憶部１９に記憶されるＯＳＤパターンから、次の表示位置ＰｏｓのＯＳＤパターンを抽出する。次に、表示用および表示処理用一時記憶部１９に記憶される画像情報が示す表示画像の画素のうち、抽出したＯＳＤパターンの黒ピクセルの位置にある画素を、黒ピクセルに置換し、置換した画像を表す画像情報を、表示用および表示処理用一時記憶部１９に記憶する。そして、表示用および表示処理用一時記憶部１９に記憶された画像情報が示す置換された画像を、表示処理部２０によって表示用デバイス２１に表示させる。
【００６０】
このように、中央演算部１８によって、画像の一部が他の画像に置換され、中央演算部１８によって、中央演算部１８によって選択された画素を黒色とした画像が生成され、中央演算部１８、表示処理部２０および表示用デバイス２１によって、中央演算部１８によって、表示すべき画像の一部が中央演算部１８によって生成された画像に置換され、中央演算部１８によって一部が置換された画像が表示画面に表示されるので、オンスクリーンディスプレイ機能を有する表示装置に容易に適用することができる。
【００６１】
表示用および表示処理用一時記憶部１９に記憶されるＯＳＤパターンは、計算によって生成する方法と、予めビットマップとして記憶しておく方法がある。
【００６２】
図９は、ＯＳＤパターンを計算によって生成する場合に用いるデータの一例を示す図である。中央演算部１８は、内部記憶部１６に設定されている単位領域（Ｍ，Ｎ）およびパターンＰに基づいて、黒ピクセルを表示する位置を、画面の左上をＸＹ座標の原点とし、横方向をＸ軸および縦方向をＹ軸として計算し、計算したデータを内部記憶部１６に記憶する。そして、内部記憶部１６に記憶するデータが示す位置に黒ピクセルを配置したＯＳＤパターンを生成し、生成したＯＳＤパターンを表示用および表示処理用一時記憶部１９に記憶する。
【００６３】
図９（ａ）は、パターンが「パターンＰ１」で、かつ表示位置Ｐｏｓが「０」のときに黒ピクセルが配置される位置を示すデータ７１である。黒ピクセルが配置される位置は、単位領域ごとにＸＹ座標で示されている。黒ピクセルが配置される位置は、たとえば最上段の各単位領域では、（０，０）、（６，０）、（１２，０）であり、２段目の各単位領域では、（２，４）、（８，４）、（１４，４）である。
【００６４】
図９（ｂ）は、パターンが「パターンＰ１」で、かつ表示位置Ｐｏｓが「１」のときに黒ピクセルが配置される位置を示すデータ７２である。黒ピクセルが配置される位置は、たとえば最上段の各単位領域では、（１，０）、（７，０）、（１３，０）であり、２段目の各単位領域では、（３，４）、（９，４）、（１５，４）である。
【００６５】
図１０は、予めビットマップとして記憶しておく場合に用いるビットマップの一例を示す図である。ビットマップは、予め外部記憶部１７に記憶されている。中央演算部１８は、外部記憶部１７に記憶されているビットマップのＯＳＤパターンの中から、内部記憶部１６に設定されている単位領域（Ｍ，Ｎ）およびパターンＰのＯＳＤパターンを読み出し、読み出したＯＳＤパターンを表示用および表示処理用一時記憶部１９に記憶する。
【００６６】
図１０は、単位領域（６，４）およびパターンが「パターンＰ０」のＯＳＤパターンのビットマップを示す。図１０（ａ）は、表示位置Ｐｏｓが「０」のＯＳＤパターンＰ００のビットマップである。図１０（ｂ）は、表示位置Ｐｏｓが「１」のＯＳＤパターンＰ０１のビットマップであり、黒ピクセルの位置が図１０（ａ）の位置から１画素分右側に移動している。図１０（ｃ）は、表示位置Ｐｏｓが「２」のＯＳＤパターンＰ０２のビットマップであり、黒ピクセルの位置が図１０（ｂ）の位置から１画素分右側に移動している。図１０（ｄ）は、表示位置Ｐｏｓが「３」以降での、基準単位領域内を移動する黒ピクセルの位置を示すビットマップである。
【００６７】
図１１は、予めビットマップとして記憶しておく場合に用いるビットマップの他の例を示す図である。図１１は、単位領域（６，１２）およびパターンが「パターンＰ１」のＯＳＤパターンを示す。図１１に示す基準単位領域Ｋ４には、黒ピクセルの表示位置Ｐｏｓが「０」の単位領域、黒ピクセルの表示位置Ｐｏｓが「２」の単位領域、および黒ピクセルの表示位置Ｐｏｓが「４」の単位領域の３つの単位領域（６，４）が含まれる。
【００６８】
図１１（ａ）は、表示位置Ｐｏｓが「０」のＯＳＤパターンＰ１０のビットマップである。図１１（ｂ）は、表示位置Ｐｏｓが「１」のＯＳＤパターンＰ１１のビットマップであり、黒ピクセルの位置が図１１（ａ）の位置から１画素分右側に移動している。図１１（ｃ）は、表示位置Ｐｏｓが「２」のＯＳＤパターンＰ１２のビットマップであり、黒ピクセルの位置が図１１（ｂ）の位置から１画素分右側に移動している。図１１（ｄ）は、表示位置Ｐｏｓが「３」以降での、基準単位領域Ｋ４内を移動する３つの黒ピクセルの位置を示すビットマップである。
【００６９】
このように、ＯＳＤパターンをビットマップで表す場合、単位領域（６，４）については、パターンＰ０〜Ｐ２ごとに、表示位置Ｐｏｓの数である２４個のＯＳＤパターンのビットマップを外部記憶部１７に記憶しておく。単位領域（３，２）については、パターンＰ０〜Ｐ２ごとに、表示位置Ｐｏｓの数である６個のＯＳＤパターンのビットマップを外部記憶部１７に記憶しておく。そして、中央演算部１８は、外部記憶部１７に記憶されるＯＳＤパターンの中から、内部記憶部１６に設定されている単位領域（Ｍ，Ｎ）およびパターンＰのＯＳＤパターンを読み出し、読み出したＯＳＤパターンを表示用および表示処理用一時記憶部１９に記憶する。
【００７０】
記憶するビットマップのサイズは、表示用デバイス２１の解像度と同じサイズのビットマップでもよいし、表示用デバイス２１の解像度よりも小さいサイズの同じパターンのビットマップを複数用いてもよい。たとえば表示用デバイス２１の解像度が、１９２０×１０８０ピクセルの場合、１９２０×１０８０のビットマップを１つ記憶しておいてもよいし、３２０×１８０のビットマップを１つ記憶してもよい。３２０×１８０のビットマップを記憶する場合、３２０×１８０のビットマップを横６個および縦６個の合計３６個を合わせて、１９２０×１０８０のＯＳＤパターンを生成する。
【００７１】
図１２は、中央演算部１８によって実行される残像防止処理の処理手順を示すフローチャートである。液晶表示装置１の電源が投入され、動作可能状態になると、ステップＡ１に移る。
【００７２】
ステップＡ１では、各変数を初期化する。具体的には、表示位置Ｐｏｓ、経過時間Ｔ２を計時するカウンタａ２３、および経過時間Ｔ３を計時するカウンタｂ２４に「０」を代入する。ステップＡ２では、黒ピクセルを表示するか否かを判定する。モードＭｏが「０」でないと、黒ピクセルを表示すると判定し、ステップＡ４に進み、モードＭｏが「０」であると、黒ピクセルを表示しないと判定し、ステップＡ３に進む。
【００７３】
ステップＡ３では、通常の表示を行い、すなわち残像を防止するための処理を行わずに表示して、ステップＡ２に戻る。ステップＡ４では、黒ピクセル表示処理の制御プログラムを呼び出して実行する。ステップＡ５では、黒ピクセル表示処理で生成された画像を、表示処理部２０によって表示用デバイス２１に表示させ、ステップＡ２に戻る。
【００７４】
図１３は、中央演算部１８によって実行される黒ピクセル表示処理の処理手順を示すフローチャートである。黒ピクセル表示処理では、黒ピクセルを合成した画像を生成し、リモコン操作があった場合は、一時的に黒ピクセルの合成を中断する。図１２に示したフローチャートのステップＡ４で呼び出されると、ステップＢ１に移る。
【００７５】
ステップＢ１では、最終リモコン操作後、一定時間、たとえば１５秒経過したか否かを判定する。最終リモコン操作後、一定時間経過したときは、ステップＢ４に進み、最終リモコン操作後、一定時間経過していないときは、ステップＢ２に進む。ステップＢ２では、設定変更があるか否かを判定する。残像防止設定画面３１で設定変更が行なわれると、設定変更があると判定し、ステップＢ５に進み、残像防止設定画面３１で設定変更が行なわれないと、設定変更がないと判定し、ステップＢ３に進む。
【００７６】
ステップＢ３では、リモコン操作があるか否かを判定する。リモコン操作処理部１３から、リモコンからの操作情報を受け取ると、リモコン操作があったと判定し、ステップＢ７に進み、リモコン操作処理部１３から、リモコンからの操作情報を受け取らないと、リモコン操作がないと判定し、黒ピクセル表示処理を終了する。
【００７７】
ステップＢ４では、関数Ａ処理を呼び出して実行した後、ステップＢ２に進む。ステップＢ４で呼び出す関数Ａ処理は、リモコン操作が最後に行われてから一定時間が経過したとき、黒ピクセル表示を再開するために行う処理で、黒ピクセル表示を中断したときの黒ピクセルを表示した位置から再開する。したがって、黒ピクセル表示の中断があっても、どのピクセルに対しても均一に黒表示を行い、残像防止効果が偏らないようにすることができる。
【００７８】
ステップＢ５では、表示位置および経過時間を初期化する。具体的には、表示位置Ｐｏｓおよび経過時間Ｔ２を計時するカウンタａ２３に「０」を代入する。設定変更があった場合は、黒ピクセルの表示を初期状態から再開するために、表示位置Ｐｏｓおよび経過時間Ｔ２を計時するカウンタａ２３を初期化する。ステップＢ６では、関数Ａ処理を呼び出して実行した後、ステップＢ３に進む。
【００７９】
ステップＢ７では、黒ピクセル表示を中断する。具体的には、表示画像に対する黒ピクセルの置換を行わずに表示する。したがって、リモコン操作を行なうことによって、黒ピクセル表示を中断することができる。ステップＢ８では、輝度を上げているか否かを判定する。内部記憶部１６に記憶される輝度設定Ｂが「１」であると、輝度を上げていると判定し、ステップＢ９に進み、内部記憶部１６に記憶される輝度設定Ｂが「０」であると、輝度を上げていないと判定し、ステップＢ１０に進む。
【００８０】
ステップＢ９では、輝度を元に戻す。ステップＢ１０では、リモコンからの操作情報が示す指示内容、たとえば表示モード切換を実行する。ステップＢ１１では、経過時間をクリアして、黒ピクセル表示処理を終了する。具体的には、経過時間Ｔ３を計時するカウンタｂ２４に「０」を代入して、黒ピクセル表示処理を終了する。
【００８１】
このように、図示しないリモコン、リモコン受光部１２およびリモコン操作処理部１３によって、中央演算部１８によって選択される画素に表示する画像の色を黒色にすることの停止が指示され、中央演算部１８、表示処理部２０および表示用デバイス２１によって、図示しないリモコン、リモコン受光部１２およびリモコン操作処理部１３によって停止が指示されると、中央演算部１８によって選択される画素に表示する画像の色が黒色にされないので、本来の画像を確認したい場合、ユーザは、予め定める数の画素に黒色を表示させないようにすることができる。
【００８２】
図１４は、中央演算部１８によって実行される関数Ａ処理の処理手順を示すフローチャートである。関数Ａ処理は、予め定める時間つまり設定時間が経過する度に、黒ピクセルの表示位置Ｐｏｓを移動し、輝度を制御する処理である。図１３に示したフローチャートのステップＢ４またはステップＢ６で呼び出されると、ステップＣ１に移る。
【００８３】
ステップＣ１では、設定時間と同じ時間が経過したか否かを判定する。カウンタａ２３によって計時される経過時間Ｔ２が設定時間Ｔ１を超えると、設定時間と同じ時間が経過したと判定し、ステップＣ４に進み、カウンタａ２３によって計時される経過時間Ｔ２が設定時間Ｔ１以下であると、設定時間と同じ時間が経過していないと判定し、ステップＣ２に進む。ステップＣ２では、輝度設定チェックを行なう。すなわち、内部記憶部１６に記憶される輝度設定Ｂが「０」であるか否かを判定する。輝度設定Ｂが「０」でないと、ステップＣ８に進み、輝度設定Ｂが「０」であると、ステップＣ３に進む。ステップＣ３では、黒塗処理を呼び出して実行した後、関数Ａ処理を終了する。
【００８４】
ステップＣ４では、表示チェックを行う。すなわち、内部記憶部１６に記憶される表示位置Ｐｏｓが、単位領域の横方向の画素数Ｍと縦方向の画素数Ｎとの積から「１」を除算した値未満であるか否かを判定する。表示位置Ｐｏｓが、単位領域の横方向の画素数Ｍと縦方向の画素数Ｎとの積から「１」を除算した値未満であると、ステップＣ７に進み、表示位置Ｐｏｓが、単位領域の横方向の画素数Ｍと縦方向の画素数Ｎとの積から「１」を除算した値未満でないと、ステップＣ５に進む。
【００８５】
ステップＣ５では、表示位置を初期化する。具体的には、表示位置Ｐｏｓに「０」を代入する。ステップＣ６では、経過時間Ｔ２をクリアし、ステップＣ２に進む。具体的には、経過時間Ｔ２を計時するカウンタａ２３に「０」を代入し、ステップＣ２に進む。リモコン操作で黒ピクセルの表示を中断したとき、その中断時間が設定時間Ｔ１よりも短い場合は、経過時間Ｔ２をクリアせずに継続してもよい。
【００８６】
ステップＣ７では、表示位置を「１」増やし、ステップＣ６に進む。具体的には、表示位置Ｐｏｓに「１」を加算し、ステップＣ６に進む。ステップＣ８では、輝度を上げて、ステップＣ３に進む。ステップＣ１、ステップＣ４〜ステップＣ７は、選択ステップである。図１２に示したフローチャートのステップＡ５、およびステップＣ３は、表示制御ステップである。
【００８７】
このように、中央演算部１８および輝度制御部２２によって、前記表示画面に表示される画像の輝度が制御され、中央演算部１８、表示処理部２０および表示用デバイス２１によって、中央演算部１８によって選択される画素に表示する画像の色を黒色にさせるとき、表示する画像の輝度が中央演算部１８および輝度制御部２２によって高くされるので、単位領域（Ｍ，Ｎ）によって決まる割合の画素に黒色を表示することによって画面全体が暗くなることを防止することができる。
【００８８】
図１５は、中央演算部１８によって実行される黒塗処理の処理手順を示すフローチャートである。黒塗処理は、表示画像のうち、ＯＳＤパターンの位置の画素を黒ピクセルに置換する処理である。図１４に示したフローチャートのステップＣ３で呼び出されると、ステップＤ１に移る。
【００８９】
ステップＤ１では、変数を初期化する。具体的には、画面のＸＹ座標における水平方向の位置を示す変数Ｘおよび垂直方向の位置を示す変数Ｙに「０」を代入する。ステップＤ２では、変数Ｙがパネルつまり表示用デバイス２１の垂直方向の解像度未満であるか否かを判定する。変数Ｙが表示用デバイス２１の垂直方向の解像度未満であると、ステップＤ３に進み、変数Ｙが表示用デバイス２１の垂直方向の解像度未満でないと、黒塗処理を終了する。
【００９０】
ステップＤ３では、変数Ｘに「０」を代入する。ステップＤ４では、変数Ｘがパネルつまり表示用デバイス２１の水平方向の解像度未満であるか否かを判定する。変数Ｘがパネルつまり表示用デバイス２１の水平方向の解像度未満であると、ステップＤ５に進み、変数Ｘがパネルつまり表示用デバイス２１の水平方向の解像度未満でないと、ステップＤ７に進む。
【００９１】
ステップＤ５では、座標（Ｘ，Ｙ）のピクセルが黒で塗るピクセルであるか否かを判定する。ＯＳＤパターンの座標（Ｘ，Ｙ）のピクセルが黒ピクセルであると、座標（Ｘ，Ｙ）のピクセルが黒で塗るピクセルであると判定し、ステップＤ８に進み、ＯＳＤパターンの座標（Ｘ，Ｙ）のピクセルが黒ピクセルでないと、座標（Ｘ，Ｙ）のピクセルが黒で塗るピクセルでないと判定し、ステップＤ６に進む。
【００９２】
ステップＤ６では、変数Ｘに「１」を加算して、ステップＤ４に戻る。ステップＤ７では、変数Ｙに「１」を加算して、ステップＤ２に戻る。ステップＤ８では、座標（Ｘ，Ｙ）のピクセルを黒で塗り、ステップＤ６に進む。すなわち、表示画像のピクセルのうち、座標（Ｘ，Ｙ）のピクセルを黒ピクセルと置換し、ステップＤ６に進む。
【００９３】
このように、電荷の偏りを解消するために、ピクセル単位で黒表示とし、かつ黒表示とするピクセルを均等に分散した位置に配するので、全体の表示内容を常時判断することができる。そして、設定時間が経過する度に黒表示とするピクセルの位置を順次、全ピクセルについて移動するので、全ピクセルの残像現象を防止することができる。
【００９４】
さらに、設定時間を長くすることによって、視聴を邪魔することなく残像現象を防止することができる。ディスプレイの残像特性に応じて、単位領域の大きさを変えることによって、つまり黒ピクセルの割合を変えることによって、各ディスプレイに効果がある黒ピクセル表示を行うことができる。
【００９５】
このように、中央演算部１８によって、表示画面を構成する複数の画素のうち、均等に分散する位置にある単位領域（Ｍ，Ｎ）によって決まる割合の画素が、設定時間Ｔ１が経過するごとに、前記均等に分散する位置を、１画素ずつ隣接する画素の位置に順次移動し、最後の位置までくると最初の位置に戻る順序で変化させて選択され、中央演算部１８、表示処理部２０および表示用デバイス２１によって、表示画面に表示する画像のうち、中央演算部１８によって選択される画素に表示する画像の色が黒色にされて表示される。
【００９６】
したがって、表示画面を構成する画素のうち均等に分散した画素のみを順次移動して黒表示とするので、画面全体の表示内容を常時判断することができる状態で残像現象を防止することができる。
【００９７】
さらに、図１４に示したフローチャートのステップＣ１、ステップＣ４〜ステップＣ７では、表示画面を構成する複数の画素のうち、均等に分散する位置にある単位領域（Ｍ，Ｎ）によって決まる割合の画素を、設定時間Ｔ１が経過するごとに、前記均等に分散する位置を、１画素ずつ隣接する画素の位置に順次移動し、最後の位置までくると最初の位置に戻る順序で変化させて選択する。そして、図１２に示したフローチャートのステップＡ５および図１４に示したフローチャートのステップＣ３では、表示画面に表示する画像のうち、選択ステップで選択された画素に表示する画像の色を黒色にして表示する。
【００９８】
したがって、本発明に係る表示方法を適用すれば、表示画面を構成する画素のうち均等に分散した画素のみを順次移動して黒表示とするので、画面全体の表示内容を常時判断することができる状態で残像現象を防止することができる。
【図面の簡単な説明】
【００９９】
【図１】本発明の実施の一形態である液晶表示装置１の構成を示すブロック図である。
【図２】画面上に表示するパターンＰの例を示す図である。
【図３】基準単位領域Ｋ内の表示位置Ｐｏｓを示す図である。
【図４】設定時間ごとに単位領域内を移動する黒ピクセルの一例を示す図である。
【図５】単位領域の種類を示す図である。
【図６】残像防止設定画面３１の一例を示す図である。
【図７】黒ピクセルの合成を説明するための図である。
【図８】ＯＳＤパターンが合成された画像の一例を示す図である。
【図９】ＯＳＤパターンを計算によって生成する場合に用いるデータの一例を示す図である。
【図１０】予めビットマップとして記憶しておく場合に用いるビットマップの一例を示す図である。
【図１１】予めビットマップとして記憶しておく場合に用いるビットマップの他の例を示す図である。
【図１２】中央演算部１８によって実行される残像防止処理の処理手順を示すフローチャートである。
【図１３】中央演算部１８によって実行される黒ピクセル表示処理の処理手順を示すフローチャートである。
【図１４】中央演算部１８によって実行される関数Ａ処理の処理手順を示すフローチャートである。
【図１５】中央演算部１８によって実行される黒塗処理の処理手順を示すフローチャートである。
【図１６Ａ】従来の技術による焼き付きなどの問題を防止する例を示す図である。
【図１６Ｂ】従来の技術による焼き付きなどの問題を防止する例を示す図である。
【符号の説明】
【０１００】
１  表示装置
８  黒ピクセル
９  ピクセル
１１  映像入力端子
１２  リモコン受光部
１３  リモコン操作処理部
１４  シリアルＩ／Ｆ部
１５  シリアル通信処理部
１６  内部記憶部
１７  外部記憶部
１８  中央演算部
１９  表示用および表示処理用一時記憶部
２０  表示処理部
２１  表示用デバイス
２２  輝度制御部
２３，２４  カウンタ
３１  残像防止設定画面
５１  表示画像
Ｋ  基準単位領域
【図１】
2009134188.tif 000003
【図２】
2009134188.tif 000004
【図３】
2009134188.tif 000005
【図４】
2009134188.tif 000006
【図５】
2009134188.tif 000007
【図６】
2009134188.tif 000008
【図７】
2009134188.tif 000009
【図８】
2009134188.tif 000010
【図９】
2009134188.tif 000011
【図１０】
2009134188.tif 000012
【図１１】
2009134188.tif 000013
【図１２】
2009134188.tif 000014
【図１３】
2009134188.tif 000015
【図１４】
2009134188.tif 000016
【図１５】
2009134188.tif 000017
【図１６Ａ】
2009134188.tif 000018
【図１６Ｂ】
2009134188.tif 000019